(57)【要約】  ポリ（酸化プロピレン）、エチルセルロースポリマー、Ｃ８−２２脂肪酸のＣ１−５アルキルモノエステル、および芳香剤を含む、固形非水性ゲル状空気賦香物質が提供され、本固形非水性ゲル状空気賦香物質は、＜１．５重量％の水を含有する。【選択図】図１
2019535356.tif 000002
【特許請求の範囲】
【請求項１】
固形非水性ゲル状空気賦香物質であって、
２０〜７５重量％のポリ（酸化プロピレン）と、
０．５〜３０重量％のエチルセルロースポリマーと、
２０〜７５重量％のＣ８−２２脂肪酸のＣ１−５アルキルモノエステルと、
４．５〜５０重量％の芳香剤と、を含み、
前記固形非水性ゲル状空気賦香物質は、１．５重量％未満の水を含有する、固形非水性ゲル状空気賦香物質。
【請求項２】
任意的な添加剤をさらに含み、前記添加剤が、保存剤、酸化防止剤、粘度調整剤、溶解度調整剤、抗菌剤、結合剤、キレート剤、殺菌剤、審美性向上剤、および充填剤のうちの少なくとも１つからなる群から選択される、請求項１に記載の固形非水性ゲル状空気賦香物質。
【請求項３】
前記任意的な添加剤が、花、ビーズ、染料、顔料、フォトクロミック剤、蛍光増白剤、真珠光沢剤、光輝剤、および発光剤のうちの少なくとも１つからなる群から選択される、請求項２に記載の固形非水性ゲル状空気賦香物質。
【請求項４】
前記ポリ（酸化プロピレン）が、３００〜１，０００ダルトンの重量平均分子量を有する、請求項１に記載の固形非水性ゲル状空気賦香物質。
【請求項５】
前記Ｃ８−２２脂肪酸のＣ１−５アルキルモノエステルが、パルミチン酸イソプロピル、オレイン酸メチル、およびステアリン酸ブチルのうちの少なくとも１つからなる群から選択される、請求項１に記載の固形非水性ゲル状空気賦香物質。
【請求項６】
前記Ｃ８−２２脂肪酸のＣ１−５アルキルモノエステルが、パルミチン酸イソプロピル、オレイン酸メチル、およびステアリン酸ブチルのうちの少なくとも１つからなる群から選択される、請求項４に記載の固形非水性ゲル状空気賦香物質。
【請求項７】
前記Ｃ８−２２脂肪酸のＣ１−５アルキルモノエステルが、パルミチン酸イソプロピルである、請求項１に記載の固形非水性ゲル状空気賦香物質。
【請求項８】
前記ポリ（酸化プロピレン）が、４００〜５００ダルトンの重量平均分子量を有する、請求項７に記載の固形非水性ゲル状空気賦香物質。
【請求項９】
任意的な添加剤をさらに含み、前記任意的な添加剤が、保存剤、酸化防止剤、粘度調整剤、溶解度調整剤、抗菌剤、結合剤、キレート剤、殺菌剤、審美性向上剤、および充填剤のうちの少なくとも１つからなる群から選択される、請求項８に記載の固形非水性ゲル状空気賦香物質。
【請求項１０】
前記固形非水性ゲル状空気賦香物質が、
３３〜４５重量％の前記ポリ（酸化プロピレン）と、
９〜１１重量％の前記エチルセルロースポリマーと、
３８〜５０重量％の前記パルミチン酸イソプロピルと、
８〜２０重量％の前記芳香剤と、を含む、請求項８に記載の固形非水性ゲル状空気賦香物質。
【発明の詳細な説明】
【技術分野】
【０００１】
本発明は、固形非水性ゲル状空気賦香物質に関する。特に、本発明は、ポリ（酸化プロピレン）、エチルセルロースポリマー、Ｃ８−２２脂肪酸のＣ１−５アルキルモノエステル、および芳香剤を含む、固形非水性ゲル状空気賦香物質に関連し、提供され、固形非水性ゲル状空気賦香物質は、＜１．５重量％の水を含有する。
【０００２】
装置の周囲の空間に消臭剤または芳香剤を放出することができる室内臭気抑制装置が市場に存在する。いくつかのそのような装置は、芳香剤が空気中に導入され得るように、ハウジングまたはシェルに挿入され、それを通して、周囲空気が開口部を通ってアクセスできる、芳香剤ホルダーを含む。他のそのような装置は、消臭剤または芳香剤を含浸させたマトリックスを含む。
【０００３】
従来の室内臭気抑制装置は、交換が必要とされる前の一定期間、芳香剤を周囲に放出するが、装置が消耗する前に交換が必要であることの適切な視覚的指示を使用者に与えることはめったにない。
【０００４】
多くの従来の室内臭気抑制装置は、有効寿命が短く、装置の寿命にわたって芳香剤の放出速度が一定していないという欠点がある。
【０００５】
固形エアフレッシュナーは、Ｂｒａｕｎらにより米国特許出願公開第２０１１／０３１８２９６号に開示されている。Ｂｒａｕｎらは、以下の成分：ｉ）総量が３０〜８０重量％の範囲のポリエチレングリコールであって、固形エアフレッシュナー中に存在するポリエチレングリコールの総量の重量平均分子量ＭＷは、１０００〜２００００ｇ／ｍｏｌの範囲内であり、ポリエチレングリコールの総量は、１つ、２つ、またはそれ以上のポリエチレングリコール材料からなる、ポリエチレングリコール、ｉｉ）総量が５〜４０重量％の範囲の界面活性剤、ｉｉｉ）総量が５〜５０重量％の範囲の香料であって、香料は、（ａ）芳香剤材料、および任意的に（ｂ）芳香剤材料用の溶媒からなる、香料、ｉｖ）０〜１０重量％の範囲の量の水、を含み、固形エアフレッシュナー中に存在するいかなる水も成分（ｉｖ）と見なされ、成分（ｉ）、（ｉｉ）、（ｉｉｉ）、および（ｉｖ）の総量は、固形エアフレッシュナーの総重量に基づいて少なくとも９５重量％である、固形エアフレッシュナーを開示している。
【０００６】
ヒドロキシプロピルセルロースの香料入りゲルは、Ｍｉｔｚｎｅｒにより米国特許第４，１２８，５０７号に開示されている。Ｍｉｔｚｎｅｒは、３５〜９０％のヒドロキシプロピルセルロースのための線状ポリオール可塑剤、１０〜５５％の香油、ならびに水および１〜３個の炭素脂肪族アルコールからなるクラスから選択される０〜１０％のヒドロキシプロピルセルロース溶媒から本質的になる約９０〜９７％の溶液に溶解された約３〜１０重量％のヒドロキシプロピルセルロースから本質的になる香料入りゲルを開示している。
【０００７】
それにもかかわらず、延長された、一貫した臭気抑制を提供し、かつその残りの有効寿命に関する視覚的合図を与える、費用効果の高い、固形非水性ゲル状空気賦香物質配合物に対する継続的な必要性が依然として存在する。
【０００８】
本発明は、２０〜７５重量％のポリ（酸化プロピレン）、０．５〜３０重量％のエチルセルロースポリマー、２０〜７５重量％のＣ８−２２脂肪酸のＣ１−５アルキルモノエステル、および４．５〜５０重量％の芳香剤を含む固形非水性ゲル状空気賦香物質を提供し、固形非水性ゲル状空気賦香物質は、＜１．５重量％の水を含有する。
【０００９】
本発明は、３３〜４５重量％のポリ（酸化プロピレン）、９〜１１重量％のエチルセルロースポリマー、３８〜５０重量％のパルミチン酸イソプロピル、８〜２０重量％の芳香剤を含む、固形非水性ゲル状空気賦香物質を提供し、固形非水性ゲル状空気賦香物質は、＜１．５重量％の水を含有する。
【図面の簡単な説明】
【００１０】
【図１】は、室温で外気にさらされた時の経時的な固形非水性ゲル状空気賦香物質の重量損失を表すグラフである。
【発明を実施するための形態】
【００１１】
ここで、本発明者らは、固形非水性ゲル状空気賦香物質用の成分の独特の組み合わせを見出し、この成分の組み合わせは、長期間にわたって（少なくとも３０日間、好ましくは少なくとも５０日間）活性芳香剤、デオドラント、または虫除け活性成分の一貫した送達を提供し、かつ活性成分が消散するにつれて不透明から透明へ変化する。
【００１２】
他に示されない限り、比率、百分率、部などは、重量による。
【００１３】
本明細書で使用される場合、特に指示がない限り、「分子量」またはＭｗという句は、ゲル透過クロマトグラフィー（ＧＰＣ）およびポリアクリル酸標準を用いる従来の方式で測定された重量平均分子量を指す。ＧＰＣ技術は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−Ｉｎｔｅｒｓｃｉｅｎｃｅ，１９７９、およびＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，８１−８４頁に詳細に考察されている。分子量は、本明細書においてダルトンの単位で報告される。
【００１４】
本明細書および添付の特許請求の範囲で使用される用語「ポリマー」は、同じまたは異なる種類のモノマーを重合することによって調製された化合物を指す。一般的な用語「ポリマー」には、用語「ホモポリマー」、「コポリマー」、および「ターポリマー」が含まれる。
【００１５】
本明細書および添付の特許請求の範囲で使用される用語「固体」は、固形非水性ゲル状賦香物質が、中程度の応力または圧力（すなわち、静止したプラットフォーム上に置かれたときの重力）、および周囲条件（すなわち１気圧、２５℃）下で流動せず、かつその形状を実質的に保持することを意味する。固形非水性ゲル状賦香物質の剛性の程度は、緻密な硬化材料（例えば、コンクリートのような）から弾力のある柔軟な材料（例えば、ゴムボールのような）までの範囲であり得る。好ましくは、本発明の固形非水性ゲル賦香物質は、最小限の芳香剤の浸出を伴いながら、最大３５℃（より好ましくは５０℃）の温度にさらされたときに固体のままであろう。
【００１６】
好ましくは、本発明の固形非水性ゲル状空気賦香物質は、追加の支持構造または装置なしで固形非水性ゲル状空気賦香物質を使用できるように自己支持型である。
【００１７】
好ましくは、本発明の固形非水性ゲル状空気賦香物質は、固体である。より好ましくは、本発明の固形非水性ゲル状空気賦香物質は、固体であり、かつ形状保持性である。最も好ましくは、本発明の固形非水性ゲル状空気賦香物質は、固体であり、かつその有効寿命を通してその形状を保持する。
【００１８】
好ましくは、本発明の固形非水性ゲル状空気賦香物質は、手触りが乾いた自己支持型の固形物である。
【００１９】
好ましくは、本発明の固形非水性ゲル状空気賦香物質は、２０〜７５重量％（好ましくは２０〜７０重量％、より好ましくは２５〜６０重量％、最も好ましくは３３〜４５重量％）のポリ（酸化プロピレン）（好ましくは、ポリ（酸化プロピレン）が１００〜１０，０００（好ましくは２００〜３，０００、より好ましくは３００〜１，０００、最も好ましくは４００〜５００）ダルトンの重量平均分子量を有する）、０．５〜３０重量％好ましくは２．５〜３０重量％、より好ましくは５〜１５重量％、最も好ましくは９〜１１重量％）のエチルセルロースポリマー、２０〜７５重量％（好ましくは、２０〜７０重量％、より好ましくは、２５〜６０重量％、最も好ましくは、３８〜５０重量％）のＣ８−２２脂肪酸のＣ１−５アルキルモノエステル（好ましくは、Ｃ８−２２脂肪酸のＣ１−５アルキルモノエステルがパルミチン酸イソプロピル、オレイン酸メチル、およびステアリン酸ブチルのうちの少なくとも１つからなる群から選択され、より好ましくは、Ｃ８−２２脂肪酸のＣ１−５アルキルモノエステルがパルミチン酸イソプロピルおよびステアリン酸ブチルのうちの少なくとも１つからなる群から選択され、最も好ましくは、Ｃ８−２２脂肪酸のＣ１−５アルキルモノエステルがパルミチン酸イソプロピルである）、および４．５〜５０重量％（好ましくは７．５〜３０重量％、最も好ましくは８〜２０重量％）の芳香剤を含み、固形非水性ゲル状空気賦香物質は、＜１．５重量％の水を含有する。
【００２０】
好ましくは、本発明の固形非水性ゲル状空気賦香物質に使用されるポリ（酸化プロピレン）は、１００〜１０，０００ダルトンの重量平均分子量を有する。より好ましくは、本発明の固形非水性ゲル状空気賦香物質に使用されるポリ（酸化プロピレン）は、２００〜３，０００ダルトンの重量平均分子量を有する。さらにより好ましくは、本発明の固形非水性ゲル状空気賦香物質に使用されるポリ（酸化プロピレン）は、３００〜１，０００ダルトンの重量平均分子量を有する。最も好ましくは、本発明の固形非水性ゲル状空気賦香物質に使用されるポリ（酸化プロピレン）は、４００〜５００ダルトンの重量平均分子量を有する。
【００２１】
好ましくは、本発明の固形非水性ゲル状空気賦香物質は、固形非水性ゲル状空気賦香物質の重量に基づいて、２０〜７５重量％のポリ（酸化プロピレン）を含む。より好ましくは、本発明の固形非水性ゲル状空気賦香物質は、固形非水性ゲル状空気賦香物質の重量に基づいて、２０〜７０重量％のポリ（酸化プロピレン）を含む。さらにより好ましくは、本発明の固形非水性ゲル状空気賦香物質は、固形非水性ゲル状空気賦香物質の重量に基づいて、２５〜６０重量％のポリ（酸化プロピレン）を含む。最も好ましくは、本発明の固形非水性ゲル状空気賦香物質は、固形非水性ゲル状空気賦香物質の重量に基づいて、３３〜４５重量％のポリ（酸化プロピレン）を含む。
【００２２】
好ましくは、本発明の固形非水性ゲル状空気賦香物質は、固形非水性ゲル状空気賦香物質の重量に基づいて、２０〜７５重量％のポリ（酸化プロピレン）を含み、使用されるポリ（酸化プロピレン）は、１００〜１０，０００（好ましくは２００〜３，０００、より好ましくは３００〜１，０００、最も好ましくは４００〜５００）ダルトンの重量平均分子量を有する。より好ましくは、本発明の固形非水性ゲル状空気賦香物質は、固形非水性ゲル状空気賦香物質の重量に基づいて、２０〜７０重量％のポリ（酸化プロピレン）を含み、使用されるポリ（酸化プロピレン）は、１００〜１０，０００（好ましくは２００〜３，０００、より好ましくは３００〜１，０００、最も好ましくは４００〜５００）ダルトンの重量平均分子量を有する。さらにより好ましくは、本発明の固形非水性ゲル状空気賦香物質は、固形非水性ゲル状空気賦香物質の重量に基づいて、２５〜６０重量％のポリ（酸化プロピレン）を含み、使用されるポリ（酸化プロピレン）は、１００〜１０，０００（好ましくは２００〜３，０００、より好ましくは３００〜１，０００、最も好ましくは４００〜５００）ダルトンの重量平均分子量を有する。最も好ましくは、本発明の固形非水性ゲル状空気賦香物質は、固形非水性ゲル状空気賦香物質の重量に基づいて、３３〜４５重量％のポリ（酸化プロピレン）を含み、使用されるポリ（酸化プロピレン）は、１００〜１０，０００（好ましくは２００〜３，０００、より好ましくは３００〜１，０００、最も好ましくは４００〜５００）ダルトンの重量平均分子量を有する。
【００２３】
好ましくは、本発明の固形非水性ゲル状空気賦香物質に使用されるエチルセルロースポリマーは、４５〜５０重量％の平均エトキシル含有量を有する。より好ましくは、本発明の固体状非水性ゲル空気臭化剤に使用されるエチルセルロースポリマーは、４８〜５０重量％の平均エトキシル含有量を有する。最も好ましくは、本発明の固形非水性ゲル状空気賦香物質に使用されるエチルセルロースポリマーは、４８〜４９．５重量％の平均エトキシル含有量を有する。
【００２４】
好ましくは、本発明の固形非水性ゲル状空気賦香物質に使用されるエチルセルロースポリマーは、ウベローデ粘度計を用いて２５℃で測定した、５重量％溶液（８０％トルエンおよび２０％エタノール中）に対して９０〜４００ｃＰの粘度を有する。より好ましくは、本発明の固形非水性ゲル状空気賦香物質に使用されるエチルセルロースポリマーは、ウベローデ粘度計を用いて２５℃で測定した、５重量％溶液（８０％トルエンおよび２０％エタノール中）に対して１８０〜３８５ｃＰの粘度を有する。最も好ましくは、本発明の固形非水性ゲル状空気賦香物質に使用されるエチルセルロースポリマーは、ウベローデ粘度計を用いて２５℃で測定した、５重量％溶液（８０％トルエンおよび２０％エタノール中）に対して２７０〜３３０ｃＰの粘度を有する。
【００２５】
好ましくは、本発明の固形非水性ゲル状空気賦香物質は、固形非水性ゲル状空気賦香物質の重量に基づいて、０．５〜３０重量％のエチルセルロースポリマーを含む。より好ましくは、本発明の固形非水性ゲル状空気賦香物質は、固形非水性ゲル状空気賦香物質の重量に基づいて、２．５〜３０重量％のエチルセルロースポリマーを含む。さらにより好ましくは、本発明の固形非水性ゲル状空気賦香物質は、固形非水性ゲル状空気賦香物質の重量に基づいて、５〜１５重量％のエチルセルロースポリマーを含む。最も好ましくは、本発明の固形非水性ゲル状空気賦香物質は、固形非水性ゲル状空気賦香物質の重量に基づいて、９〜１１重量％のエチルセルロースポリマーを含む。
【００２６】
好ましくは、本発明の固形非水性ゲル状空気賦香物質は、固形非水性ゲル状空気賦香物質の重量に基づいて、０．５〜３０重量％のエチルセルロースポリマーを含み、エチルセルロースポリマーは、ウベローデ粘度計を用いて２５℃で測定した、５重量％溶液（８０％トルエンおよび２０％エタノール中）に対して９０〜４００ｃＰ（より好ましくは１８０〜３８５ｃＰ、最も好ましくは２７０〜３３０ｃＰ）の粘度を有する。より好ましくは、本発明の固形非水性ゲル状空気賦香物質は、固形非水性ゲル状空気賦香物質の重量に基づいて、２．５〜３０重量％のエチルセルロースポリマーを含み、エチルセルロースポリマーは、ウベローデ粘度計を用いて２５℃で測定した、５重量％溶液（８０％トルエンおよび２０％エタノール中）に対して９０〜４００ｃＰ（より好ましくは１８０〜３８５ｃＰ、最も好ましくは２７０〜３３０ｃＰ）の粘度を有する。さらにより好ましくは、本発明の固形非水性ゲル状空気賦香物質は、固形非水性ゲル状空気賦香物質の重量に基づいて、５〜１５重量％のエチルセルロースポリマーを含み、エチルセルロースポリマーは、ウベローデ粘度計を用いて２５℃で測定した、５重量％溶液（８０％トルエンおよび２０％エタノール中）に対して９０〜４００ｃＰ（より好ましくは１８０〜３８５ｃＰ、最も好ましくは２７０〜３３０ｃＰ）の粘度を有する。最も好ましくは、本発明の固形非水性ゲル状空気賦香物質は、固形非水性ゲル状空気賦香物質の重量に基づいて、９〜１１重量％のエチルセルロースポリマーを含み、エチルセルロースポリマーは、ウベローデ粘度計を用いて２５℃で測定した、５重量％溶液（８０％トルエンおよび２０％エタノール中）に対して９０〜４００ｃＰ（より好ましくは１８０〜３８５ｃＰ、最も好ましくは２７０〜３３０ｃＰ）の粘度を有する。
【００２７】
好ましくは、本発明の固形非水性ゲル状空気賦香物質に使用されるＣ８−２２脂肪酸のＣ１−５アルキルモノエステルは、１３．５〜１６のδｄ（分散）、２〜８のδｐ（双極子）、および２〜８のδｈ（水素結合）のハンセン溶解度パラメータを有するように選択される。より好ましくは、本発明の固形非水性ゲル状空気賦香物質に使用されるＣ８−２２脂肪酸のＣ１−５アルキルモノエステルは、１４〜１５のδｄ（分散）、３〜５のδｐ（双極子）、および３〜５のδｈ（水素結合）のハンセン溶解度パラメータを有するように選択される。
【００２８】
好ましくは、本発明の固形非水性ゲル状空気賦香物質に使用されるＣ８−２２脂肪酸のＣ１−５アルキルモノエステルは、パルミチン酸イソプロピル、オレイン酸メチル、およびステアリン酸ブチルのうちの少なくとも１つからなる群から選択される。より好ましくは、本発明の固形非水性ゲル状空気賦香物質に使用されるＣ８−２２脂肪酸のＣ１−５アルキルモノエステルは、パルミチン酸イソプロピルおよびステアリン酸ブチルのうちの少なくとも１つからなる群から選択される。さらにより好ましくは、本発明の固形非水性ゲル状空気賦香物質に使用されるＣ８−２２脂肪酸のＣ１−５アルキルモノエステルは、パルミチン酸イソプロピルを含む。最も好ましくは、本発明の固形非水性ゲル状空気賦香物質に使用されるＣ８−２２脂肪酸のＣ１−５アルキルモノエステルはパルミチン酸イソプロピルである。
【００２９】
好ましくは、本発明の固形非水性ゲル状空気賦香物質は、固形非水性ゲル状空気賦香物質の重量に基づいて、２０〜７５重量％のＣ８−２２脂肪酸のＣ１−５アルキルモノエステルを含む。より好ましくは、本発明の固形非水性ゲル状空気賦香物質は、固形非水性ゲル空気の重量に基づいて、２０〜７０重量％のＣ８−２２脂肪酸のＣ１−５アルキルモノエステルを含む。さらにより好ましくは、本発明の固形非水性状空気賦香物質は、固形非水性ゲルの重量に基づいて、２５〜６０重量％のＣ８−２２脂肪酸のＣ１−５アルキルモノエステルを含む。最も好ましくは、本発明の固形非水性ゲル状空気賦香物質は、固形非水性ゲル空気の重量に基づいて、３８〜５０重量％のＣ８−２２脂肪酸のＣ１−５アルキルモノエステルを含む。
【００３０】
好ましくは、本発明の固形非水性ゲル状空気賦香物質は、固形非水性ゲル状空気賦香物質の重量に基づいて、２０〜７５重量％のＣ８−２２脂肪酸のＣ１−５アルキルモノエステルを含み、Ｃ８−２２脂肪酸のＣ１−５アルキルモノエステルは、パルミチン酸イソプロピル、オレイン酸メチル、およびステアリン酸ブチル（より好ましくはパルミチン酸イソプロピルおよびステアリン酸ブチル、最も好ましくはパルミチン酸イソプロピル）のうちの少なくとも１つからなる群から選択される。より好ましくは、本発明の固形非水性ゲル状空気賦香物質は、固形非水性ゲル空気の重量に基づいて、２０〜７０重量％のＣ８−２２脂肪酸のＣ１−５アルキルモノエステルを含み、Ｃ８−２２脂肪酸のＣ１−５アルキルモノエステルは、パルミチン酸イソプロピル、オレイン酸メチル、およびステアリン酸ブチル（より好ましくはパルミチン酸イソプロピルおよびステアリン酸ブチル、最も好ましくはパルミチン酸イソプロピル）のうちの少なくとも１つからなる群から選択される。さらにより好ましくは、本発明の固形非水性ゲル状空気賦香物質は、固形非水性ゲルの重量に基づいて、２５〜６０重量％のＣ８−２２脂肪酸のＣ１−５アルキルモノエステルを含み、Ｃ８−２２脂肪酸のＣ１−５アルキルモノエステルは、パルミチン酸イソプロピル、オレイン酸メチル、およびステアリン酸ブチル（より好ましくはパルミチン酸イソプロピルおよびステアリン酸ブチル、最も好ましくはパルミチン酸イソプロピル）のうちの少なくとも１つからなる群から選択される。最も好ましくは、本発明の固形非水性ゲル状空気賦香物質は、固形非水性ゲル空気の重量に基づいて、３８〜５０重量％のＣ８−２２脂肪酸のＣ１−５アルキルモノエステルを含み、Ｃ８−２２脂肪酸のＣ１−５アルキルモノエステルは、パルミチン酸イソプロピル、ステアリン酸ブチル、およびステアリン酸ブチル（より好ましくはパルミチン酸イソプロピルおよびステアリン酸ブチル、最も好ましくはパルミチン酸イソプロピル）のうちの少なくとも１つからなる群から選択される。
【００３１】
好ましくは、本発明の固形非水性ゲル状空気賦香物質に使用される芳香剤は、合成賦香物質および天然賦香物質のうちの少なくとも１つから選択される。
【００３２】
好ましくは、本発明の固形非水系ゲル状空気賦香物質に使用される芳香剤は、合成賦香物質を含む。好ましくは、本発明の固形非水性ゲル状空気賦香物質に使用される芳香剤は、合成賦香物質を含み、合成賦香物質は、エステル（例えば、酢酸ベンジル、イソ酪酸フェノキシエチル、酢酸ｐ−ｔｅｒｔ−ブチルシクロヘキシル、酢酸リナリル、酢酸ジメチルベンジルカルビネート、酢酸フェニルエチル、安息香酸リナリル、ぎ酸ベンジル、グリシン酸エチルメチルフェニル、プロピオン酸アリルシクロヘキシル、プロピオン酸スチラリル、サリチル酸ベンジル、シクロヘキシルサリケート（ｃｙｃｌｏｈｅｘｙｌ  ｓａｌｉｃａｔｅ）、フロラメート、メルセート、およびジャスマシクレート）、エーテル（例えば、ベンジルエチルエーテルおよびアンブロキサン）、アルデヒド（例えば、８〜１８個の炭素原子を有する直鎖アルカナール、シトラール、シトロネラル、シトロネロイルオキシ−アセトアルデヒド、シクラメンアルデヒド、ヒドロキシシトロネラル、リリアール、およびブルジョナル）、ケトン（例えば、イオノン、α−イソメチルイオノン、およびメチルセドリルケトン）、アルコール（例えば、アネトール、シトロネロール、オイゲノール、ゲラニオール、リナロール、フェニルエチルアルコール、およびテルピネオール）、および炭化水素（例えば、リモネンおよびピネン）の合成生成物のうちの少なくとも１つからなる群から選択される。
【００３３】
好ましくは、本発明の固形非水性ゲル状空気賦香物質に使用される芳香剤は、天然臭気物質を含む。好ましくは、本発明の固形非水性ゲル状空気賦香物質に使用される芳香剤は、天然の賦香物質を含み、天然の賦香物質は、植物源（例えば、松、柑橘類、ジャスミン、パチョリ、バラ、イラン−イラン、クラリーセージ、カモミール、クローブ、バーム、ミント、シナモンの葉、ライムブロッサム、ジュニパーベリー、ベチバー、オリバナム、ガルバナム、ラブダナム、オレンジの花、オレンジの皮、ビャクダン、ユリ、ラベンダー、ゼラニウム、プチグレイン、アニス、コリアンダー、クミン、ナツメグ、ベルガモット、レモン、トウモロコシ、アンジェリカ、セロリ、カルダモン、コスタス、アイリス、カラス、ベチバー、グアヤック、シダーウッド、ローズウッド、タラゴン、レモングラス、タイム、トウヒ、モミ、ガルバナム、エレミ、ベンゾイン、ミルラ、オリバナム、オポポナックス、およびラブダナム）および動物源（例えば、チベット、カストラム）由来の抽出物である。
【００３４】
好ましくは、本発明の固形非水性ゲル状空気賦香物質に使用される芳香剤は、ニトリル、スルフィド、オキシム、アセタール、ケタール、酸、シッフ塩基、複素環式窒素化合物（例えば、インドール、キノリン、ピラジン、アミン、アミド、有機ハロゲン化合物（例、バラ酢酸）、ニトロ化化合物（例、ニトロマス）、複素環式硫黄化合物（例、チアゾール）、および複素環式酸素化合物のうちの少なくとも１つからなる群から選択される。
【００３５】
好ましくは、本発明の固形非水性ゲル状空気賦香物質に使用される芳香剤は、オレンジ油、ゲラニオール、ローズ油、リリアール、α−ヘキシルシンナムアルデヒド、α−アミルシンナムアルデヒド、プロピジル、サリチル酸ヘキシル、セドランバー、ミラルジルアセテート、リナロール、テトラヒドロリノール（ｔｅｔｒａｈｙｄｒｏｌｉｎａｏｏｌ）、シトロネロール、アルデヒドＣ１２ラウリン酸、５−メチル−５−プロピル−２−（１−メチルブチル）−１，３−ジオキサン、ジフェニルエーテル、Ｎ−メチルイオノン、サリチル酸シクロヘキシル、サンデリチェ、およびボイサンブレンフォルテからなる群から選択される。
【００３６】
好ましくは、本発明の固形非水性ゲル状空気賦香物質は、４．５〜５０重量％の芳香剤を含む。より好ましくは、本発明の固形非水性ゲル状空気賦香物質は、７．５〜３０重量％の香料を含む。最も好ましくは、本発明の固形非水性ゲル状空気賦香物質は、８〜２０重量％の芳香剤を含む。
【００３７】
好ましくは、本発明の固形非水性ゲル状空気賦香物質は、固形非水性ゲル状空気賦香物質の重量に基づいて、＜１．５重量％の水を含む。より好ましくは、本発明の固形非水性ゲル状空気賦香物質は、固形非水性ゲル状空気賦香物質の重量に基づいて、＜１．０重量％の水を含む。さらにより好ましくは、本発明の固形非水性ゲル状空気賦香物質は、固形非水性ゲル状空気賦香物質の重量に基づいて、＜０．５重量％の水を含む。最も好ましくは、本発明の固形非水性ゲル状空気賦香物質は、固形非水性ゲル状空気賦香物質の重量に基づいて、＜０．１重量％の水を含む。
【００３８】
好ましくは、本発明の固形非水性ゲル空気賦香物質は、任意的な添加剤をさらに含み、任意的な添加剤は、防腐剤（例えば、それぞれＴｈｅ  Ｄｏｗ  Ｃｈｅｍｉｃａｌ  ＣｏｍｐａｎｙおよびＬｏｎｚａからのＫａｔｈｏｎ（商標）防腐剤およびＮｅｏｌｏｎｅ（登録商標）防腐剤）、酸化防止剤、粘度調整剤、溶解度調整剤、抗菌剤、結合剤、キレート剤、殺菌剤、審美性向上剤、および充填剤のうちの少なくとも１つからなる群から選択される。
【００３９】
好ましくは、本発明の固形非水性ゲル状空気賦香物質は、任意的な添加剤をさらに含み、任意的な添加剤は、花、ビーズ、染料、顔料（例えば、金属顔料、熱変色性顔料）、フォトクロミック剤、蛍光増白剤、真珠光沢剤、光輝剤、および発光剤（例えば、化学発光剤、生物発光剤）のうちの少なくとも１つからなる群から選択される。
【００４０】
本発明の固形非水性ゲル状空気賦香物質の潜在的使用は、広く多様である。本発明の固形非水性ゲル状空気賦香物質は、固形非水性ゲル状空気賦香物質がその形状を維持し、かつ一貫したレベルの賦香を生成する３０日以上（好ましくは５０日以上）の有効寿命を有する固形エアフレッシュナーとして使用され得る。本発明の固形非水性ゲル状空気賦香物質が自己支持型であることを考えると、高価なホルダーまたは容器を必要とせず、かつ造形物の形態（例えば、動物または花の形状）で提示しやすい。本発明の固形非水性ゲル状空気賦香物質はまた、着色されやすい。本発明の固形非水性ゲル状空気賦香物質は、ＨＶＡＣユニットにおけるエアフレッシュナー（例えば、不織フィルターエレメントに組み込まれたゲルのペレットまたはフレーク）、乗り物用のエアフレッシュナー（例えば、自動車、ボート）、掃除機に使用するためのエアフレッシュナーまたは消毒用部品として使用するためのカスタマイズを容易にするように様々の形状およびサイズで提供され得る。
【００４１】
本発明のいくつかの実施形態をこれより以下の実施例において詳細に説明する。
【００４２】
比較例Ｃ１および実施例１：固形非水性ゲル状空気賦香物質
表１に記載の組成を有する固形非水性ゲル状空気賦香物質を調製した。
【００４３】
【表１】
2019535356.tif 000003
【００４４】
比較例Ｃ１および実施例１のそれぞれにおいて、パルミチン酸イソプロピルおよびポリ（酸化プロピレン）をビーカー中で混合して、混合物を形成した。次いで、エチルセルロースをビーカー中の混合物に粉末形態で徐々に加えた。次いで、エチルセルロースが完全に溶解するまで、ビーカーの内容物を連続的に攪拌しながら３５〜１００℃の温度に加熱した。実施例１では、ビーカーの内容物をその後３５℃に冷却し、香料を攪拌しながら加えた。比較例Ｃ１および実施例１の両方において、ビーカーの内容物をその後室温に冷却し、所望の形状を有する固形非水性ゲル状空気賦香物質に固化させた。
【００４５】
次に、比較例Ｃ１および実施例１のそれぞれからの固形非水性ゲル状空気賦香物質を室内に置き、次いでその経時的な重量損失を観察し、記録した。観察の結果は、図１のグラフに示される。
【図１】
2019535356.tif 000004
【国際調査報告】
2019535356.tif 000005
2019535356.tif 000006